(57)【特許請求の範囲】
【請求項１】
導電板上に、給電用ケーブルが接続されるねじ式の給電端子と、受電用ケーブルが接続されるねじ式の受電端子と、を備え、受電機器側に電力を供給可能なねじ式の端子台において、
前記給電端子付近の導電板によって形成され前記給電端子に対して前記給電用ケーブルが挿入される側から該給電端子に向かう給電案内面が、前記受電機器の端子台取付面に近付く方向に傾斜するように該受電機器側に取り付けられると共に、前記受電端子付近の導電板によって形成され前記受電端子に対して前記受電用ケーブルが挿入される側から該受電端子に向かう受電案内面が、前記受電端子のねじの頭部が前記給電案内面の延長線よりも前記受電機器側に位置するように、前記給電案内面に対して屈曲されていることを特徴とするねじ式の端子台。
【請求項２】
請求項１において、
前記受電端子付近の導電板によって形成され前記受電端子に対して前記受電用ケーブルが挿入される側から該受電端子に向かう受電案内面が、前記受電機器の端子台取付面から遠ざかる方向に傾斜するように該受電機器側に取り付けられることを特徴とするねじ式の端子台。
【請求項３】
導電板上に、給電用ケーブルが接続されるねじ式の給電端子と、受電用ケーブルが接続されるねじ式の受電端子と、を備え、受電機器側に電力を供給可能なねじ式の端子台が、端子箱の中に収容されている端子箱構造であって、
前記給電端子付近の導電板によって形成され前記給電端子に対して前記給電用ケーブルが挿入される側から該給電端子に向かう給電案内面が、前記受電機器の端子台取付面に近付く方向に傾斜するように該受電機器側に取り付けられると共に、
前記端子箱における前記給電用ケーブルの挿入口に対し、前記受電端子が前記給電端子よりも近い位置に位置していることを特徴とする端子箱構造。
【発明の詳細な説明】
【技術分野】
【０００１】
本発明は、ねじ式の端子台及び該端子台を収容した端子箱の構造に関する。
【背景技術】
【０００２】
モータやヒータ等の電力を必要とする機器（受電機器）に給電用ケーブル（給電用の電源ケーブル）を接続するための構成として、ねじ式の端子台が多用されている。一般に、ねじ式の端子台は、導電板上に、給電用ケーブルが接続されるねじ式の給電端子と、受電用ケーブル（受電機器等に向かう電源ケーブル）が接続されるねじ式の受電端子と、を備える。
【０００３】
給電端子と受電端子は、導電板を介して電気的に接続されているため、結局、該端子台の機能によって給電用ケーブルと受電用ケーブルとが電気的に接続され、受電機器等への電力供給ができることになる。
【０００４】
従来のねじ式の端子台は、導電板がいわゆる「平板」であり、給電端子と受電端子は同一の平面上に並んで配置されていた。したがって、給電用ケーブル及び受電用ケーブルを同一の側からそれぞれの端子に接続しようとすると、ケーブル同士がスペース的に干渉し合ってしまうため、両ケーブルを１８０度反対の方向から対向・突き合わせるような態様で各端子に接続するようにしていた。
【０００５】
しかしながら、給電用ケーブルと受電用ケーブルは、必ずしも常に１８０度反対の方向から突き合わせる態様で接続するのが便利な訳ではなく、特に、こうしたねじ式の端子台を端子箱の中に収容して使用する場合等にあっては、双方のケーブルを同一の側から各端子に接近させた方が扱い易い場合も存在する。
【０００６】
このような点に鑑み、例えば特許文献１においては、給電端子と受電端子との配置に段差を設け、給電用ケーブル及び受電用ケーブルを同一の側から接続する場合であっても各ケーブルが干渉を起こさなくて済むようなねじ式の端子台を開示している。
【０００７】
【特許文献１】特開平１１−１２１０６３号公報
【発明の開示】
【発明が解決しようとする課題】
【０００８】
しかしながら、上記特許文献１に開示された技術を含め、従来のねじ式の端子台は、給電端子の配置されている付近の導電板の案内面が、受電機器の端子台取付面と平行になるように取り付けられていた。そのため、特に、ねじ式の端子台が端子箱の中に収められた状態で受電機器側に取り付けられているような場合に、給電用ケーブルを給電端子に接続し難いことがあるという不具合があった。
【０００９】
本発明は、このような従来の問題を解消するためになされたものであって、特に受電機器のユーザが自己の工場等に備えられている給電用ケーブルを、該受電機器に簡単に接続することができるようなねじ式の端子台、あるいは該ねじ式の端子台を収容した端子箱構造を提供することをその課題としている。
【課題を解決するための手段】
【００１０】
本発明は、導電板上に、給電用ケーブルが接続されるねじ式の給電端子と、受電用ケーブルが接続されるねじ式の受電端子と、を備え、受電機器側に電力を供給可能なねじ式の端子台において、前記給電端子付近の導電板によって形成され前記給電端子に対して前記給電用ケーブルが挿入される側から該給電端子に向かう給電案内面が、前記受電機器の端子台取付面に近付く方向に傾斜するように該受電機器側に取り付けられると共に、前記受電端子付近の導電板によって形成され前記受電端子に対して前記受電用ケーブルが挿入される側から該受電端子に向かう受電案内面が、前記受電端子のねじの頭部が前記給電案内面の延長線よりも前記受電機器側に位置するように、前記給電案内面に対して屈曲されている構成とすることにより、上記課題を解決したものである。
【００１１】
本発明においては、導電板上の給電案内面が、受電機器の端子台取付面に近付く方向に傾斜されている。換言するならば、ユーザは、給電用ケーブルを、（従来のように受電機器の端子台取付面に対して平行にではなく）所定の角度を有して給電端子に接近させることができるようになる。このため、給電端子への給電用ケーブルの接近が極めて容易に行えるようになる。この効果は、端子台が端子箱の中に収められているような場合に特に顕著に現われる。
【発明の効果】
【００１２】
受電機器のユーザが、該受電機器に対して給電用ケーブルを容易に接続することができる。
【発明を実施するための最良の形態】
【００１３】
以下図面に基づいて本発明の実施形態の一例を詳細に説明する。
【００１４】
図１は、本発明の実施形態の一例に係るねじ式の端子台が端子箱に収められている様子を示す断面図であり、図２は、その要部拡大図、図３は、該ねじ式の端子台の斜視図である。
【００１５】
主に図１及び図２を参照して、モータ（受電機器）２の取付面２Ａには、該モータ２を稼働させるための電力供給構造として、ねじ式の端子台１０が（端子箱４に収容された状態で）取り付けられている。端子箱４は、本体４Ａと蓋体４Ｂとで構成されている。端子箱４には、給電用ケーブル３０（後述）を挿入するための挿入口４Ｃが形成されている。
【００１６】
なお、本発明において、「受電機器」とは、「端子台を介して電力の供給を受ける部材または機器であって、該端子台の取り付けられるもの（被取付体）」を指している。したがって、この実施形態における受電機器はモータ２であり、後述する整流器７０は、（端子台の被取付体となっていないため）本発明の受電機器には相当しない。逆に、本発明における受電機器は、必ずしもモータやヒータのような「それ自体で所定の機能を有する単体機器」である必要はなく、例えば、複数の単体機器に電力を配分するための配電盤の出力側のようなものであっても良い。
【００１７】
端子台１０は、導電板１２上に給電端子（給電用のねじ式端子）１４と、受電端子（受電用のねじ式端子）１６とを備える。
【００１８】
給電端子１４は、給電端子ねじ１８と、導電板１２に形成され該給電端子ねじ１８が螺合可能な雌ねじ部２０、及び給電端子１４付近の導電板１２によって形成される給電案内面１２Ａとで構成されている。給電端子１４では、給電用ケーブル３０の先端に取り付けた圧着端子３０Ａを給電端子ねじ１８の頭部１８Ａと前記給電案内面１２Ａとの間に挟み込み可能である。この状態で給電端子ねじ１８が雌ねじ部２０にねじ込まれ、給電用ケーブル３０が給電端子１４に接続・固定される。なお、符号３１は、平座金（ワッシャ）、符号３３は、ばね座金である。
【００１９】
受電端子１６は、端子箱４における前記給電用ケーブル３０の挿入口４Ｃに対し、前記給電端子１４よりも近い位置に位置している。受電端子１６も、受電端子ねじ２２と、導電板１２に形成され該受電端子ねじ２２が螺合可能な雌ねじ部２４、及び受電端子１６付近の導電板１２によって形成される受電案内面１２Ｂとで構成されている。受電端子１６では、第１、第２の受電用ケーブル３２、３４の先端に取り付けた圧着端子３２Ａ、３４Ａを受電端子ねじ２２の頭部２２Ａと前記受電案内面１２Ｂとの間に挟み込み可能である。この状態で受電端子ねじ２２が雌ねじ部２４にねじ込まれ、受電用ケーブル３２、３４が受電端子１６に接続・固定される。なお、符号３５は、平座金、符号３７は、ばね座金である。
【００２０】
なお、この例では、第１の受電用ケーブル３２は直接モータ２側へ、第２の受電用ケーブル３４は整流器７０を介してモータ２側にそれぞれ導かれている。
【００２１】
給電端子１４と受電端子１６は導電板１２を介して電気的に接続されている。よって、給電端子１４に給電用ケーブル３０を接続し、受電端子１６に受電用ケーブル３２、３４を接続することにより、結果として、給電用ケーブル３０と受電用ケーブル３２、３４とを電気的に接続することができる。
【００２２】
ここで、導電板１２の設置角度に着目すると、図２に示されるように、この導電板１２は、給電案内面（即ち給電端子１４付近の導電板１２によって形成され給電端子１４に対して給電用ケーブル３０が挿入される側から該給電端子１４に向かう案内面）１２Ａが、モータ（受電機器）２の端子台取付面２Ａに近付く方向に角度α１だけ傾斜される態様でモータ２側に取り付けられる構成とされている。
【００２３】
また、導電板１２は、給電端子１４と受電端子１６との間で屈曲されている。具体的には、受電案内面（即ち、受電端子１６付近の導電板１２によって形成され受電端子１６に対して受電用ケーブル３２、３４が挿入される側から該受電端子１６に向かう導電板１２上の案内面）１２Ｂが、モータ２の端子台取付面２Ａから遠ざかる方向に角度β１だけ傾斜された構成とされている。
【００２４】
給電案内面１２Ａとの関係で見るならば、受電案内面１２Ｂが、受電端子１６の受電端子ねじ２２の頭部２２Ａが給電案内面１２Ａの延長線Ｌ１よりもモータ２側（受電機器側）に位置するように、給電案内面１２Ａに対して角度β２だけ屈曲していることになる。
【００２５】
なお、給電案内面１２Ａ、受電案内面１２Ｂとも、場合によっては、例えば図示の受電案内面１２Ｂのように、殆ど給電端子ねじ１８或いは受電端子ねじ２２の平座金３１、３５の大きさしか確保できていないときもある。
【００２６】
図３に示されるように、このねじ式の端子台１０は、上述したような構成の給電端子１４と受電端子１６の「端子対」を並列に複数（図示の例では６組の端子対５１〜５６）有している。各端子対５１〜５６の給電端子１４−１〜１４−６、受電端子１６−１〜１６−６、導電板１２−１〜１２−６の構成は、給電案内面（１２Ａ）、受電案内面（１２Ｂ）の構成を含めてハイフンの無い符号を用いて既に説明した給電端子１４、受電端子１６、及び導電板１２の構成と全く同一である。そのため、以降、各端子対５１〜５６の説明に当たっては、適宜ハイフンのない符号にて代表させる。
【００２７】
各端子対５１〜５６の導電板１２−１〜１２−６は、リブ６１〜６５によってそれぞれ電気的に絶縁されている。各リブ６１〜６５の受電端子１６側の端部６１Ａ〜６５Ａは、モータ２の端子台１０の取付面（より正確には、この例では、端子台１０がモータ２に端子箱４を介して取り付けられる面）２Ａと平行とされている。この形状により、各リブ６１〜６５の受電端子１６−１〜１６−６側には、各端子対５１〜５６の受電用ケーブル（例えば３２、３４）の挟み込み或いは絡まりを防止するための共通の空間ＳＰ１が形成されている。
【００２８】
図１から明らかなように、各端子対５１〜５６の受電用ケーブル３２、３４は、この空間ＳＰ１、更には端子台１０の導電板１２（１２−１〜１２−６）の下側（図１の例では端子台１０の本体１０Ａの導電板１２が取り付けられている導電板取付面１０Ａ１の反導電板側）の空間ＳＰ２を通って受電端子１６と整流器７０とを連結している。なお、これらの空間ＳＰ１、ＳＰ２は、余剰の受電用ケーブル３２、３４を格納するための空間としても機能する。
【００２９】
端子台１０は、その本体１０Ａから延設した台座部１０Ｂを一体に備えている。台座部１０Ｂには整流器７０等の電子機器が載置されている。ボルト７４が、整流器７０を台座部１０Ｂに固定すると共に、該台座部１０Ｂを端子箱４の本体４Ａに固定し、更に、該端子箱４の本体４Ａをモータ２の取付面２Ａに固定している。
【００３０】
次に、この端子台１０、あるいは該端子台１０を収容した端子箱４の作用を説明する。前述したように、図１を参照しながら便宜上ハイフンのない符号で代表させるが、各端子対においても基本的作用は全く同様である。
【００３１】
給電用ケーブル３０は、端子箱４の本体４Ａから蓋体４Ｂを取り除いた状態で挿入口４Ｃから挿入される。給電端子ねじ１８は予め弛めておく。給電端子１４付近の導電板１２の給電案内面１２Ａには、傾斜（角度α１）が付けられている。また、給電用ケーブル３０の先端部には圧着端子３０Ａが取付けられている。そのため、該給電案内面１２Ａの傾斜（角度α１）に沿って極めて簡易に給電用ケーブル３０を給電端子ねじ１８と給電案内面１２Ａの間に滑り込ませることができる。したがって、この状態で弛めてあった給電端子ねじ１８を締め込むことで給電用ケーブル３０の接続を完了できる。このとき、受電端子ねじ２２の頭部２２Ａが給電案内面１２Ａの延長線Ｌ１よりもモータ２側（受電機器側）に位置するように、受電案内面１２Ｂが給電案内面１２Ａから角度β２だけ屈曲されていることから、受電端子ねじ２２の頭部２２Ａがこの給電用ケーブル３０の接続の邪魔になるのが防止される。
【００３２】
また、受電案内面１２Ｂがモータ２の端子台取付面２Ａから遠ざかる方向に傾斜するように（傾斜角β１を有するように）設定されているため、受電用ケーブル３２、３４を導電板１２の下側（導電板取付面１０Ａ１の反導電板側）の空間ＳＰ２を通って該導電板１２の受電案内面１２Ｂに斜め下方から臨ませることができ、受電用ケーブル３２、３４の取り回しが容易である。
【００３３】
なお、受電用ケーブル３２、３４は、受電端子１６に接続した後に、整流器７０あるいはモータ２の側に取り廻しても良いし、逆に、整流器７０あるいはモータ２の側から受電端子１６側に取り廻してきても良い。いずれにしても受電用ケーブル３２、３４は、各導電板１２−１〜１２−６の下側の空間ＳＰ２を通って整流器７０あるいは受電機器であるモータ２側に配線されているため、端子台１０の各端子１４、１６と整流器７０の間には余剰のケーブルがなく、整流器７０を端子台１０の本体１０Ａから延設した台座部１０Ｂ上に隣接配置することが可能となっている。
【００３４】
より具体的に説明すると、従来は、端子箱４の挿入口４Ｃに近い側に給電端子があり、該給電端子の反挿入口側に受電端子があって、更に該受電端子の反挿入口側に整流器等の電子機器が配置されるのが一般的であった。そのため、必然的に該受電端子と整流器との間にこれらを連結するための受電用ケーブルが存在していた。この受電用ケーブルは短すぎると作業性が悪く、汎用性もない。そのため、ある程度の長さを有する受電用ケーブルを使用することになり、結果として該受電用ケーブルの存在により整流器を端子台の受電端子の直ぐ横に設置することができなかった。
【００３５】
しかし、この実施形態では受電端子１６が給電端子１４の反整流器側（より挿入口４Ｃに近い側）に存在している。即ち、受電用ケーブル３２、３４は給電端子１４の反整流器側で受電端子１６に接続され、且つ導電体１２の下側（導電板取付面１０Ａ１の反導電板側）の空間ＳＰ２を通って整流器（電子機器）７０に配線されている。したがって、支障無く整流器７０を端子台１０の台座部１０Ｂに載置できる。この結果、端子箱４全体の大きさも小さくできる。
【００３６】
また、端子台１０の台座部１０Ｂに整流器７０が載置されていることから、わずか２本のボルト７４にて整流器７０、端子台１０、及び端子箱４の全てをモータ２の取付面２Ａに共締め可能である。このため、部品点数が削減され、組付工数も削減できる。
【００３７】
なお、上記実施形態においては、端子台１０が端子箱４に収容された状態で受電機器であるモータ２側に取り付けられていたが、本発明では、端子台は、必ずしも端子箱に収容されている必要はない。例えば、受電機器の取付面に端子台が直接取り付けられ、該受電機器が全体としてより大きなマシンの駆動源ケースに収容されているような構成であってもよい。
【００３８】
また、上記実施形態においては、受電案内面１２Ｂがモータ２の端子台取付面２Ａから遠ざかる方向に傾斜するように（傾斜角β１をもって）モータ２側に取り付けられ、受電用ケーブル３２、３４を導電板取付面の下側の空間ＳＰ２を通って該導電板１２の受電案内面１２Ｂに臨ませたときに、受電用ケーブル３２、３４の取り回しが容易なように配慮されていた。しかしながら、本発明においては、この傾斜角β１は、必ずしも形成する必要はない。
【産業上の利用可能性】
【００４１】
受電機器の種類によらず、産業用の受電機器のねじ式の端子台及び該端子台を収容した端子箱の構造として広く利用できる。
【図面の簡単な説明】
【００４２】
【図１】本発明の実施形態の一例に係るねじ式の端子台が端子箱に収められている様子を示す断面図
【図２】図１の要部拡大図
【図３】該ねじ式の端子台の斜視図
【符号の説明】
【００４３】
２…モータ
２Ａ…端子台取付面
４…端子箱
４Ａ…本体
４Ｂ…蓋体
４Ｃ…挿入口
１０…端子台
１０Ａ…端子台の本体
１０Ｂ…台座部
１２…導電板
１２Ａ…給電案内面
１２Ｂ…受電案内面
１４…給電端子
１６…受電端子
１８…給電端子ねじ
２０…雌ねじ部
２２…受電端子ねじ
２４…雌ねじ部
３０…給電用ケーブル
３２、３４…受電用ケーブル
６１〜６５…リブ
６１Ａ〜６５Ａ…リブの端部
７０…整流器
【図１】
0005065946.tif 000002
【図２】
0005065946.tif 000003
【図３】
0005065946.tif 000004